(57)【要約】【課題】無接点の警音器を提供する。【解決手段】電子式平型警音器において、コイルに電流を選択的に供給するスイッチ回路と、スイッチ回路に周期的にパルスを供給するパルス発生用タイマー回路と、パルスにおいてＯＮ／ＯＦＦの周期を調整するパルス比率調整回路を具備し、フォトインタラプタを利用した警音器においては、発光素子からの光を受光素子に到達しないよう発光素子と受光素子を遮断する遮光板と、コイルに電流を選択的に供給するスイッチ回路と、発光素子と受光素子からなり、発光素子からの光が受光素子に到達すると、スイッチ回路をＯＮにさせ、発光素子と受光素子の間に遮光板が位置して、発光素子からの光が受光素子に到達しないよう遮光板により遮断されると、スイッチ回路をＯＦＦにさせ、スイッチを断続させるフォトインタラプタを具備する。【選択図】図２
2010152329.tif 000002
【特許請求の範囲】
【請求項１】
鉄心に巻かれたコイルに電流が流れることで鉄心が磁化され、アーマチュアを引き寄せることを反復することで音を出す警音器において、
前記コイルに電流を選択的に供給するスイッチ回路と、
前記スイッチ回路に周期的にパルスを供給するパルス発生用タイマー回路と、
前記パルスにおいてＯＮ／ＯＦＦの周期を調整するパルス比率調整回路と
を具備することを特徴とする電子式平型警音器。
【請求項２】
請求項１に記載の電子式平型警音器であって、
前記パルス比率調整回路は可変抵抗を具備して、前記可変抵抗の抵抗値が変更されることでパルスのＯＮ／ＯＦＦ比率が変更されることを特徴とする電子式平型警音器。
【請求項３】
請求項１又は請求項２に記載の電子式平型警音器であって、
前記パルス発生用タイマー回路に一定の電圧がかかるようにする定電圧回路をさらに具備することを特徴とする電子式平型警音器。
【請求項４】
請求項１又は請求項２に記載の電子式平型警音器であって、
前記スイッチ回路に逆電圧がかからないようにする逆極性遮断回路をさらに具備することを特徴とする電子式平型警音器。
【請求項５】
請求項１又は請求項２に記載の電子式平型警音器であって、
前記スイッチ回路は警音器のボディ―に固定されることを特徴とする電子式平型警音器。
【請求項６】
鉄心に巻かれたコイルに電流が流れることで鉄心が磁化され、アーマチュアを引き寄せることを反復することで音を出す警音器において、
発光素子からの光が受光素子に到達しないように発光素子と受光素子を遮断する遮光板と、
前記コイルに電流を選択的に供給するスイッチ回路と、
発光素子と受光素子からなり、前記発光素子からの光が受光素子に到達すると前記スイッチ回路をオン（ＯＮ）にさせ、前記発光素子と前記受光素子の間に遮光板が位置して、前記発光素子からの光が受光素子に到達しないよう遮光板により遮断されると、前記スイッチ回路をオフ（ＯＦＦ）にさせてスイッチを断続させるフォトインタラプタを
具備することを特徴とするフォトインタラプタを利用した警音器。
【請求項７】
請求項６に記載の警音器であって、
前記遮光板はアーマチュアに配置されアーマチュアと一緒に動き、
前記フォトインタラプタはスタンドに配置され
前記遮光板と前記フォトインタラプタの相対的な位置により遮光及び遮光解除時間を調整することを特徴とするフォトインタラプタを利用した警音器。
【請求項８】
請求項６又は請求項７に記載の警音器であって、
前記フォトインタラプタに一定の電圧がかかるようにする定電圧回路をさらに具備することを特徴とするフォトインタラプタを利用した警音器。
【請求項９】
請求項６又は請求項７に記載の警音器であって、
前記スイッチ回路に逆極性電圧がかからないようにする逆極性遮断回路をさらに具備することを特徴とするフォトインタラプタを利用した警音器。
【発明の詳細な説明】
【技術分野】
【０００１】
本発明は、自動車の警音器に関するものであって、接点がない電子式平型警音器とフォトインタラプタを利用した無接点式警音器に関するものである。
【背景技術】
【０００２】
警音器は、自動車の運行中に警告を発する警報装置であって、その共鳴方式によりディスクタイプ（Ｄｉｓｋ  Ｔｙｐｅ）（平型警音器）とシェルタイプ（Ｓｈｅｌｌ  Ｔｙｐｅ）（ラッパ型警音器）に分類でき、作動方式により電気式（接点式）と電子式に分類される。
【０００３】
電気式平型警音器は、図１（イ）に示す通り、警音器スイッチが閉まると、電流はスイッチ両端を通しスタンド接点とスプリング接点を通してコイルを経由し、再び蓄電池端子に流れ入み、この時電流が流れるとコイルが巻きついた鉄心が磁化され電磁石となり、アーマチュア（ａｒｍａｔｕｒｅ）を引き寄せることになる。アーマチュアは、鉄心側に引き寄せられながらスプリングを押すことになる。スタンドと接触して導通していたスプリングがアーマチュアにより下に押されると同時に、電流はそれ以上流れなくなる。電流が流れなくなると鉄心は電磁力を喪失することになり、アーマチュアに結合された振動板の弾性力によりアーマチュアは原位置に戻る。アーマチュアが原位置に復原されると、これにより押されていたスプリングも自身の弾性力によりスタンドと再び接触することになり電流が流れるようになり、電流が流れると、鉄心が電磁石となり再びアーマチュアが引き寄せられる。前記の動作を反復して、警音器が警笛音を発生させることになる。この時、警音器の振動周波数は、アーマチュアに結合された振動板の弾性力による往復運動の時間により決定される。
【０００４】
以上で説明した接点方式の平型警音器は、アーマチュアに振動板と共鳴板が同一軸に固定され、振動板により発生する音を共鳴板での共振を利用して増幅する方式のホ―ン（ｈｏｒｎ）であって、その内部構造上磁気力が発生するようコイルに流れる電流を断続させる構造が必要で、スタンドとスプリングに付着された接点を通してコイルを磁化させる大きな電流が断続する構造なので、スタンドとスプリングが離れる時に接点において大きなスパーク（ｓｐａｒｋ）が生じる。これのように接点を利用するスイッチング方式（ｓｗｉｔｃｈｉｎｇ方式）は、スパークにより接点損傷が発生し使用回数に比例して接点損傷の程度が深化することにより警音器の寿命が短くなり、スイッチング時に発生するスパークは、ラジオ雑音及びその他の電子システムの誤作動を発生させる可能性のあるＥＭＩノイズの原因でも作用する。
【０００５】
又、スパ―クにより接点の温度が上がるので劣化が発生し、接点の酸化を促進させ、接点の導電性を低下させ、ひいては通電不良へ進行される。
これを改善する方法として、既存の電気式平型警音器において電気接点を除去した無接点平型警音器を開発することになった。
【０００６】
又、接点を使用しない方式で、図１の（ロ）のような周波数（パルス）発生回路を利用した電子ホ―ンがあるが、相対的に多くの電子部品が必要で、パルス発生のためにＣＰＵ等の高価な集積回路（ＩＣ）等が必要で価格的な短所があり、振動板の復原力に合う周波数が発生すれば正常に作動することができるが、運行中の自動車のエンジン周辺のような高温環境にさらされる場合に周波数を制御する電子部品（コンデンサ、抵抗、水晶振動子等）の温度特性変化で部品特性値が変化して発振周波数が変動する短所がある。
【０００７】
このように発振周波数が変化すると、振動を起こす振動板の弾性力による復原周期との周波数共振が外れることで警音器の音色が悪くなり、音も小さくなるという問題が発生することになる。
【先行技術文献】
【特許文献】
【０００８】
【特許文献１】特開平６−３２４６８３公報（段落［００１０］、図１）
【発明の開示】
【発明が解決しようとする課題】
【０００９】
本発明の目的は、前記のような問題点を解消するために、警音器使用中に作動不良及び寿命短縮の主要原因である電気接点を除去できる電子式平型警音器と、警音器使用中に作動不良及び寿命短縮の主要因子である接点の代わりに磨耗がない非接触式スイッチ方式でフォトインタラプタ（光センサ）を使用する警音器を提供しようとするものである。
【００１０】
即ち、従来の電気式（接点式）警音器において発生するスパークによる全ての問題点を補完するために、従来の接点スイッチング方式の代わりに、接点を使用しないパルス駆動方式とフォトインタラプタ（光センサ）素子を利用してスパークとノイズを除去させる無接点警音器を提供しようとするものである。
【課題を解決するための手段】
【００１１】
本発明は、前記課題を解決するために、接点がない電子式平型警音器では、鉄心に巻かれたコイルに電流が流れることで鉄心が磁化され、アーマチュアを引き寄せることを反復することで音を出す警音器において、前記コイルに電流を選択的に供給するスイッチ回路と、前記スイッチ回路に周期的にパルスを供給するパルス発生用タイマー回路と、前記パルスにおいてＯＮ／ＯＦＦの周期を調整するパルス比率調整回路を具備することを特徴とする電子式平型警音器を提供する。
【００１２】
ここで、前記パルス比率調整回路は可変抵抗を具備して、前記可変抵抗の抵抗値が変更されることでパルスのＯＮ／ＯＦＦ比率が変更されることが望ましい。
【００１３】
又、前記パルス発生用タイマー回路に一定の電圧がかかるようにする定電圧回路をさらに具備するか、又は前記スイッチ回路に逆電圧がかからないようにする逆極性遮断回路をさらに具備することが望ましい。
【００１４】
又、前記スイッチ回路は警音器のボディーに固定されることが望ましい。
【００１５】
又、本発明は前記課題を解決するために、フォトインタラプタを利用した無接点式警音器においては、鉄心に巻かれたコイルに電流が流れることで鉄心が磁化され、アーマチュアを引き寄せることを反復することで音を出す警音器において、発光素子からの光が受光素子に到達しないよう発光素子と受光素子を遮断する遮光板と、前記コイルに電流を選択的に供給するスイッチ回路と、発光素子と受光素子からなり、前記発光素子からの光が受光素子に到達すると、前記スイッチ回路をオン（ＯＮ）にさせ、前記発光素子と前記受光素子の間に遮光板が位置して前記発光素子からの光が受光素子に到達しないよう遮光板により遮断されると、前記スイッチ回路をＯＦＦにさせスイッチを断続させるフォトインタラプタを具備することを特徴とするフォトインタラプタを利用した警音器を提供する。
【００１６】
ここで、前記遮光板はアーマチュアに配置されアーマチュアと共に動き、前記フォトインタラプタはスタンドに配置され、前記遮光板と前記フォトインタラプタの相対的な位置により遮光及び遮光解除時間を調整することが望ましい。
【００１７】
又、前記フォトインタラプタに一定の電圧がかかるようにする定電圧回路をさらに具備するか、前記スイッチ回路に逆極性の電圧がかからないようにする逆極性遮断回路をさらに具備することが望ましい。
【発明の効果】
【００１８】
以上のような構成の本発明は、電子式平型警音器において、振動板の弾性力に合うよう発振パルスのＯＮ／ＯＦＦ比率を６５：３５に設定して最高の警笛音を発生させるよう構成し、発振パルスの比率を容易に調整できるよう可変抵抗を具備し、コイルに流れる電流を半導体ＦＥＴにスイッチングすることで接点式警音器と比べて格段に向上した製品寿命を確保でき、接点スパークによる電子波放射ノイズも除去できる。
【００１９】
又、フォトインタラプタを利用した無接点式警音器において、電子波ノイズの原因である接点を使用しない代わりにフォトインタラプタという光センサを使用してスパークを除去し、従来の接点式警音器の周波数特性をそのまま維持しながら、コイルに流れる電流を無接点でスイッチング可能にし、スパークが発生しないので電子波ノイズが除去され、又、スパークによる接点磨耗で製品寿命が短くなる問題点も解決し、作動寿命を大きく向上させた。
【発明を実施するための最良の形態】
【００２０】
本発明の実施例に関して以下で詳細に説明する。接点がない電子式平型警音器（２０）に関しては実施例１で詳細に説明し、フォトインタラプタを利用した無接点式警音器（３０）に関しては実施例２において詳細に説明する。
【００２１】
（実施例１）
実施例１では、接点がない電子式平型警音器（２０）に関して説明する。
本実施例の構成は、前記の技術的な問題を解決するために、振動板（２１）のスプリング特性に合うよう周波数を発生させられるパルス発生回路と、発生したパルスによりコイルの磁化電流をスイッチングするＦＥＴ（Ｆｉｅｌｄ  Ｅｆｆｅｃｔ  Ｔｒａｎｓｉｓｔｏｒ）を使用したスイッチ回路とから構成される。
【００２２】
本発明の構成を図２に基づいて更に詳細に説明すると、次のようになる。
ダイオード（Ｄ２）は、逆極性遮断回路であって、直流電源が逆極性で連結される場合に、本発明の警音器が損傷しないよう電源を遮断する機能をする。
【００２３】
抵抗（Ｒ１）、定電圧ダイオード（ＺＤ１）（ツェナダイオード）及びコンデンサ（Ｃ１）は定電圧回路を構成して、定電圧ダイオード（ＺＤ１）に規定値以上の異常電圧がかかると、定電圧ダイオード（ＺＤ１）は、短絡したのと同様に機能して異常電圧による電流を全てグラウンドに流し、規定値以下の電圧がかかると、回路を遮断させ電源からの電流がパルス発生用タイマー回路（Ｕ１）に流れるようにする。このようにしてパルス発生用タイマー回路（Ｕ１）等に一定の電圧がかかるようにする。
【００２４】
一方、定電圧回路のコンデンサ（Ｃ１）は、通常には充電をするが、異常電圧がかかると放電をしてパルス発生用タイマー回路（Ｕ１）にかかる電圧を更に一定にする。
このようにして定電圧回路は、パルス発生用タイマー回路（Ｕ１）が電源電圧の変動に影響を受けずに一定のＯＮ／ＯＦＦ比率を持ったパルスを発生させられるよう定電圧を維持する回路である。
【００２５】
抵抗（Ｒ６、Ｒ７、Ｒ９）及びコンデンサ（Ｃ２）で構成される回路は、パルス発生用タイマー回路（Ｕ１）により警音器の振動板を円満に振動させられるよう矩形波パルス（ｐｕｌｓｅ）のＯＮ／ＯＦＦ時間を一定の比率で維持するよう設定するパルス比率調整回路である。
【００２６】
警音器（２０）においては、振動板（２１）の材料の性質により、その撓み及び復原にかかる時間に特性があり、この時間が上手く合えば良い音が出るが、そうでなければ耳障りな音が出ることもある。即ち、この撓み時間と復原時間を矩形波パルスのＯＮ／ＯＦＦ時間により調整すれば、良い音を出すことができるのである。従って、本発明においては、前記可変抵抗を調整してこの時間を調整することで、振動板（２１）の特性に合う最適な音を出すことができる。
【００２７】
即ち、この時のＯＮ／ＯＦＦ比率は、
ＯＮ／ＯＦＦ比率＝Ｒ９／（Ｒ６＋Ｒ７＋２＊Ｒ９）
として与えられる。従って、前記Ｒ７を可変抵抗とし、この抵抗を調整することで最適のＯＮ／ＯＦＦ比率を採用して最適な音を出すことができる。
【００２８】
抵抗（Ｒ３、Ｒ４）及びＦＥＴ（Ｑ２）で構成された回路は、パルス発生用タイマー回路（Ｕ１）において発生するパルスに連動して、パルスがＯＮになる時間の間だけコイル（Ｕ２）に電流を流すように構成されたスイッチ回路である。
【００２９】
本発明の平型警音器（２０）は、振動板（２１）として使用する炭素鋼板の特性上、ＯＮ／ＯＦＦ時間の比率が各々ＯＮ時間６５％、ＯＦＦ時間３５％水準の比率を持ち、振動する時に理想的な音を発生させることができるので、振動板（２１）の特性に合わせてパルスの時間を調節することができるよう、抵抗（Ｒ７）を可変抵抗として採用することは前記と同じである。
【００３０】
又、自動車の使用特性上高温環境において、電子部品素子の特性変化により発振パルスが変化する問題を最小化するために、コンデンサ（Ｃ２）は温度変化に比較的良好なメタライズドポリエステルフィルムコンデンサ（ｍｅｔａｌｉｚｅ  ｐｏｌｙｅｓｔｅｒ  ｆｉｌｍ  ｃｏｎｄｅｎｓｅｒ）を採用した。
【００３１】
前記実施例において逆極性遮断回路、定電圧回路は、選択的に付加できるものであって、必ず必要なものではない。即ち、図３に示すように逆極性遮断回路及び定電圧回路を省略し構成することもでき、又、前記２回路の中の何れか一つだけを各々省略して構成する場合もある。
【００３２】
次に、振動板（２１）の駆動順序について更に詳細に説明する。
まず、直流電源ＶＣＣに連結された抵抗（Ｒ３、Ｒ４）を通してＦＥＴ（Ｑ２）のゲート（Ｇ）端子にプラス電源が供給される間に、ＦＥＴ（Ｑ２）のドレーン（Ｄ）とソース（Ｓ）端子が導通し、コイル（Ｕ２）に電流が流れるようになり、コイル（Ｕ２）が電磁石になり、この時に振動板（２１）と共鳴板（２３）が結合されたアーマチュア（２２）が電磁石になった鉄心（２４）に引き寄せられる。アーマチュア（２２）は、パルス発生用タイマー回路（Ｕ１）の３番端子で発生するパルスがＯＮ時間の間引き寄せられる。一方、ＯＦＦ時間の間はプラス電源が抵抗（Ｒ３）を経由してパルス発生用タイマー回路（Ｕ１）の３番を通してアース（ＧＮＤ）に連結されるので、このＯＦＦ時間の間はＦＥＴのドレーンとソース間が遮断され、コイル（Ｕ２）を電磁石にした電流が流れることができないので、電磁石に引き寄せられたアーマチュア（２２）は振動板（２１）が持っているスプリング力により再び本来の位置に復原される。
【００３３】
アーマチュア（２２）が、矩形波パルスのＯＮ時間の間は再び引き寄せられ、ＯＦＦ時間の間は復原する過程を反復することになり、これと同じ過程により振動板（２１）が震えることになり、警音器（２０）の音を発生させることができるようになる。
【００３４】
この時に振動板が自身の弾性力により復原する時間とパルスのＯＦＦ時間が一致する時、最高の警笛音が発生し、ＯＦＦ時間が短く設定されると振動板が本来の位置に戻る前に再び引き寄せられ、振動板が充分に振動することができないので、警音器はきちんとした音を発生させることができなくなる。
【００３５】
矩形波パルスは、本発明に使用された汎用のパルス発生用タイマー回路以外にも、ＯＰアンプ回路又はその他別の回路を利用しても発生させることができる。
【００３６】
スイッチング用に使用された電界效果トランジスタ（ＦＥＴ）は、入力電圧に従って出力電流を制御するスイッチング素子として、ＯＮ抵抗が０．１Ωであって極めて小さいＦＥＴを使用してコイルに流れる電流をスイッチングするよう構成した。一般パワートランジスタを利用した回路を具現することもできるが、ＯＮ抵抗が大きいので、流れる電流の大きさに比例して熱が多く発生するので、必ず充分な放熱設計をしなければならないという短所がある。
【００３７】
従って、本発明ではＦＥＴ（Ｑ２）で電流スイッチング時に発生するジュール熱（Ｊｏｕｌｅ’ｓ  ｈｅａｔ）を警音器ボディー（２５）の金属板を利用して放熱することができるよう図４のように直接警音器ボディー（２５）に固定させるよう構成し、ＦＥＴは警音器ボディー（２５）と電気的に絶縁となるようＦＥＴ（Ｑ２）の固定部位が絶縁体でモールディングされた絶縁タイプを採用する。
【００３８】
（実施例２）
本実施例２では、フォトインタラプタ（Ｕ１１）を利用した無接点式警音器（３０）に関して説明する。以下の説明において、実施例１と同様の構成及び機能等については、同様の符号を付して説明を省略又は簡略し、異なる点を中心に説明する。
本実施例の構成は、図５に示すような発光部と受光部が一体的に構成されたフォトインタラプタ（光センサ）（Ｕ１１）の出力によりトランジスタ（Ｑ１１）のゲート端子に電圧が印加され、トランジスタ（Ｑ１１）のドレイン−ソース端子間が導通するようになり、コイル（Ｕ３）に電流が流れることで電磁石になるので、この時アーマチュア（３２）が引き寄せられる。
【００３９】
アーマチュア（３２）が引き寄せられると、図６でのようにアーマチュア（３２）に付着した遮光板（３６）がフォトインタラプタ（Ｕ１１）の光を遮断して出力を遮断することになり、トランジスタ（Ｑ１１）のゲート電圧も遮断され、コイル（Ｕ３）に流れていた電流も切れることになり磁気力を喪失することになる。
【００４０】
この時に引き寄せられていたアーマチュア（３２）は振動板（３１）の弾性力により再び復原され、アーマチュア（３２）に連結された遮光板（３６）も上昇することになり、フォトインタラプタ（Ｕ１１）に再び光が透過される。これと同じ過程が反復され、振動板（３１）が震えるようになり、警笛音を発生させるようになる。
【００４１】
本発明の回路図（図５）でダイオード（Ｄ１１）は逆極性遮断回路であって、外部に連結する直流電源の極性が変わっても、本発明の回路に影響を与えないよう直流電源に直列に連結された保護素子である。
【００４２】
ツェナダイオード（ＺＤ１２）とコンデンサ（Ｃ１１）は、入力される電源電圧の大きさとは関係なく発光部に一定の電圧がかかるよう構成する定電圧回路である。
【００４３】
即ち、定電圧ダイオード（ＺＤ１２）に規定値以上の異常電圧がかかると、ツェナダイオード（ＺＤ１２）は短絡したのと同じように機能して異常電圧による電流を全てグラウンドに流し、規定値以下の電圧がかかると、回路を遮断させ電源からの電流がフォトインタラプタ（Ｕ１１）に流れるようにする。このようにしてフォトインタラプタ（Ｕ１１）等に異常電圧がかからないようにして、フォトインタラプタ（Ｕ１１）が一定の比率で光を発散するようにする。
【００４４】
一方、定電圧回路のコンデンサ（Ｃ１１）は、通常は充電をし、異常電圧がかかると放電をしてフォトインタラプタ（Ｕ１１）にかかる電圧を更に一定にする。
本発明において、前記逆極性遮断回路及び定電圧回路は必須的なものではなく、必要により選択的に採用し、構成することができる。
【００４５】
本実施例２の作用を図６により詳しく説明すると、前記の光センサ素子（フォトインタラプタ）（Ｕ１１）は発光部（３８）の光が受光部（３９）に到達する時、受光素子が導通するセンサであり、光が遮断されると受光素子も出力が遮断される機能を持っている。
【００４６】
本発明では、従来の接点式警音器でのような位置調整が可能なようフォトインタラプタ（Ｕ１１）をスタンド（３７）に付着し、アーマチュア（３２）にはひき付けられる時図６Ｃのように光を遮断するよう金属又はプラスチック（樹脂）からなる遮光板（３６）を付着し、フォトインタラプタ（受光素子）（Ｕ１１）の出力により、コイル（Ｕ３）の磁化電流を断続させるようトランジスタが連結する構造である。
【００４７】
又、従来においてネジ等を調節することでスタンドの位置を調整して、接点が離れたりくっ付いたりする時間を調整した。これと類似するようフォトインタラプタ（Ｕ１１）をスタンド（３７）に配置し、また、遮光板（３６）をアーマチュア（Ｕ１１）に設置する。そして、ネジ等でスタンド（３７）の上下位置を調整することで、即ち、遮光板（３６）とスタンド（３７）（フォトインタラプタ（Ｕ１１））の相対的な位置を調整することでフォトインタラプタ（Ｕ１１）を遮光したり、遮光を解除したりする時間を調節する。
【００４８】
このような調整により振動板（３１）に最も適当な音を出すことができる。これは、警音器（３０）において振動板（３１）の材料の性質により、その撓み及び復原にかかる時間に特性があり、この時間が上手く合えば良い音が出、そうでなければ耳障りな音が出ることもある。即ち、この撓み時間と復原時間が合うように調整すれば、良い音を出すことができるのである。従って、本発明においては、前記スタンド（３７）の位置を調整して遮光及び遮光解除の時間を調整することで、振動板（３１）の特性に合う最適な音を出すことができる。
【図面の簡単な説明】
【００４９】
【図１】従来の警音器を示す図面であって、（イ）は接点式を、（ロ）は電子式を各々示す。
【図２】本発明の実施例１である電子式平型警音器の回路図を示す図面である。
【図３】本発明の実施例１である電子式平型警音器の別の回路図を示す図面である。
【図４】本発明の実施例１である電子式平型警音器を適用したものを示す図面である。
【図５】本発明の実施例２である、フォトインタラプタを利用した警音器の回路図を示す図面である。
【図６Ａ】本発明の実施例２である、フォトインタラプタを利用した警音器を適用したものを示す図面であって、遮光板の結合図である。
【図６Ｂ】本発明の実施例２である、フォトインタラプタを利用した警音器を適用したものを示す図面であって、フォトインタラプタの結合図である。
【図６Ｃ】本発明の実施例２である、フォトインタラプタを利用した警音器を適用したものを示す図面であって、内部簡略図である。
【符号の説明】
【００５０】
接点１  ：  固定接点（スタンド）
接点２  ：  可動接点（スプリング）
Ｒ１〜Ｒ９、  Ｒ１１、  Ｒ１２  ：  抵抗
Ｒ７  ：  可変抵抗
Ｑ２、  Ｑ１１  ：  トランジスタ（半導体スイッチング素子（ＦＥＴ））
Ｄ２、  Ｄ１１  ：  ダイオード
ＺＤ１、  ＺＤ１２  ：  ツェナダイオード
Ｃ１、  Ｃ１１  ：  コンデンサ
Ｕ２、  Ｕ３  ：  コイル
Ｕ１１  ：  フォトインタラプタ
２０  ：  電子式平型警音器
２１、  ３１  ：  振動板
２２、  ３２  ：  アーマチュア
２３、  ３３  ：  共鳴板
２４、  ３４  ：  ポール（鉄心）
２５  ：  ボディー
３０  ：  警音器
３６  ：  遮光板
３７  ：  スタンド
３８  ：  発光部
３９  ：  受光部
【図１】
2010152329.tif 000003
【図２】
2010152329.tif 000004
【図３】
2010152329.tif 000005
【図４】
2010152329.tif 000006
【図５】
2010152329.tif 000007
【図６Ａ】
2010152329.tif 000008
【図６Ｂ】
2010152329.tif 000009
【図６Ｃ】
2010152329.tif 000010